【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
それぞれ無線基地局とパケット制御装置とからなる複数の無線アクセス網と、上記各無線アクセス網をＩＰ網に接続する複数のノード装置からなり、各無線アクセス網が、上記無線基地局と通信する無線移動局からの第１の通信品質要求に応じて、上記パケット制御装置に接続されたノード装置と上記無線移動局との間のパケットフローの通信品質を保証する無線通信システムであって、
上記各無線アクセス網の無線基地局とパケット制御装置の少なくとも一方が、
上記無線移動局が送信する上記第１の通信品質要求と無線移動局毎に予め契約で保証された通信品質レベル情報に基づき変換した該無線移動局に保証された範囲の通信品質パラメータ群からなる第２の通信品質要求を、該無線アクセス網の通信リソースで許容可能な第３の通信品質要求に変換する手段と、該第３の通信品質要求に従って、上記無線移動局のパケットフローの通信品質を制御するための手段、を備え、
上記各ノード装置が、
通信中の上記無線移動局が他の無線アクセス網に移動した時、上記無線移動局と対応する第２の通信品質要求をハンドオーバ先のノード装置に通知するための手段と、
他のノード装置から無線移動局の上記第２の通信品質要求を受信した時、受信した上記第２の通信品質要求を該ノード装置に接続された無線アクセス網に通知するための手段とを備え、
上記各無線アクセス網の無線基地局とパケット制御装置の少なくとも一方が、上記ノード装置から上記第２の通信品質要求を受信した時、受信した上記第２の通信品質要求を該無線アクセス網の通信リソースで許容可能な第４の通信品質要求に変換し、該第４の通信品質要求に従って、移動してきた無線移動局のパケットフローの通信品質を制御する
ことを特徴とする無線通信システム。
【請求項２】
請求項１に記載の無線通信システムにおいて、
前記第１の通信品質要求が、要求優先度の異なる複数セットの通信品質パラメータからなり、前記第２の通信品質要求が、上記複数セットの通信品質パラメータから前記保証された通信品質レベル情報に従って選択された上記第１の通信品質要求よりも少ないセット数の通信品質パラメータからなり、前記第３の通信品質要求が、上記第２の通信品質要求と同等、または更に少ないセット数の通信品質パラメータからなる
ことを特徴とする無線通信システム。
【請求項３】
請求項１に記載の無線通信システムにおいて、
前記各無線アクセス網の無線基地局とパケット制御装置の少なくとも一方が、無線アクセス網における送信レート、伝送遅延、エラーレート、無線区間における受信信号の品質または干渉信号電力のうちの少なくとも１つを前記通信リソースとして、前記無線移動局に許容可能な通信品質パラメータ群を選択する
ことを特徴とする無線通信システム。
【請求項４】
請求項１に記載の無線通信システムにおいて、
前記各ノード装置が、通信中の無線移動局が他の無線アクセス網に移動した時、前記ハンドオーバ先のノード装置に前記第２の通信品質要求を通知し、他のノード装置から第２の通信品質要求を受信した時、受信した第２の通信品質要求を該ノード装置に接続された無線アクセス網に通知し、
前記各無線アクセス網の無線基地局とパケット制御装置の少なくとも一方が、上記パケット制御装置に接続されたノード装置から上記第２の通信品質要求を受信した時、上記第２の通信品質要求を該無線アクセス網の通信リソースで許容可能な通信品質パラメータ群からなる前記第４の通信品質要求に変換し、該第４の通信品質要求に従って、移動してきた無線移動局のパケットフローの通信品質を制御する
ことを特徴とする無線通信システム。
【請求項５】
それぞれ無線基地局とパケット制御装置とからなる複数の無線アクセス網と、上記各無線アクセス網をＩＰ網に接続する複数のノード装置とからなる無線通信システムにおけるパケットフローの通信品質保証方法であって、
上記各無線アクセス網の無線基地局とパケット制御装置の少なくとも一方が、
上記無線移動局の送信する第１の通信品質要求と無線移動局毎に予め契約で保証された通信品質レベル情報に基づき変換した該無線移動局に保証された範囲の通信品質パラメータ群からなる第２の通信品質要求を、該無線アクセス網の通信リソースで許容可能な第３の通信品質要求に変換し、上記第３の通信品質要求に従って、上記無線移動局のパケットフローの通信品質を制御し、
上記各ノード装置が、
通信中の上記無線移動局が他の無線アクセス網に移動した時、上記無線移動局と対応する第２の通信品質要求をハンドオーバ先のノード装置に通知し、他のノード装置から無線移動局の上記第２の通信品質要求を受信した時、受信した上記第２の通信品質要求を該ノード装置に接続された無線アクセス網に通知し、
上記各無線アクセス網の無線基地局とパケット制御装置の少なくとも一方が、上記ノード装置から受信した上記第２の通信品質要求を、該無線アクセス網の通信リソースで許容可能な第４の通信品質要求に変換し、上記第４の通信品質要求に従って、移動してきた無線移動局のパケットフローの通信品質を制御する
ことを特徴とするパケットフローの通信品質保証方法。
【請求項６】
請求項５に記載のパケットフローの通信品質保証方法において、
前記第１の通信品質要求が、要求優先度の異なる複数セットの通信品質パラメータからなり、
前記各無線アクセス網の無線基地局とパケット制御装置の少なくとも一方が、上記第１の通信品質要求が示す複数セットの通信品質パラメータから、前記通信品質レベル情報で保証された範囲の通信品質パラメータセットを選択して、上記第１の通信品質要求よりも少ないセット数の通信品質パラメータからなる前記第２の通信品質要求を生成し、上記第２の通信品質要求から、通信品質パラメータのセット数が該第２の通信品質要求と同等、または更に少ない前記第３の通信品質要求を生成する
ことを特徴とするパケットフローの通信品質保証方法。
【請求項７】
請求項５に記載のパケットフローの通信品質保証方法において、
前記第１の通信品質要求が、フロー毎に要求優先度の異なる複数セットの通信品質パラメータで要求通信品質を定義しており、
前記各無線アクセス網の無線基地局とパケット制御装置の少なくとも一方が、前記無線移動局に予め保証された通信品質レベル情報に従って、上記第１の通信品質要求からフロー毎に保証すべき通信品質パラメータセットを選択することによって、前記第２の通信品質要求を生成し、上記第２の通信品質要求から、利用可能な通信リソースに応じて許容可能な通信品質パラメータセットを選択することによって、前記第３の通信品質要求を生成する
ことを特徴するパケットフローの通信品質保証方法。
【請求項８】
請求項５〜請求項７の何れかに記載のパケットフローの通信品質保証方法において、
前記各無線アクセス網の無線基地局とパケット制御装置の少なくとも一方が、無線アクセス網における送信レート、伝送遅延、エラーレート、無線区間における受信信号の品質または干渉信号電力のうちの少なくとも１つを前記通信リソースとして、前記第２の通信品質要求または前記ノード装置から受信した前記第２の通信品質要求から通信品質パラメータを選択し、前記無線移動局に許容可能な前記第４の通信品質要求を生成する
ことを特徴とするパケットフローの通信品質保証方法。
【請求項９】
それぞれ無線基地局とパケット制御装置とからなる複数の無線アクセス網と、上記各無線アクセス網をＩＰ網に接続する複数のノード装置とからなり、各無線アクセス網が、上記無線基地局と通信する無線移動局からの第１の通信品質要求に応じて、上記パケット制御装置に接続されたノード装置と上記無線移動局との間のパケットフローの通信品質を保証する無線通信システムであって、
上記各無線アクセス網の無線基地局とパケット制御装置の少なくとも一方が、
上記無線移動局が送信する上記第１の通信品質要求と無線移動局毎に予め契約で保証された通信品質レベル情報に基づき変換した該無線移動局に保証された範囲の通信品質パラメータ群からなる第２の通信品質要求を、該無線アクセス網の通信リソースで許容可能な第３の通信品質要求に変換する手段と、
該第３の通信品質要求に従って、上記無線移動局のパケットフローの通信品質を制御するための手段と、
上記第２の通信品質要求を上記パケット制御装置に接続されたノード装置と、他の上記無線アクセス網に通知するための手段と、を備え、
上記他の無線アクセス網の無線基地局とパケット制御装置の少なくとも一方が、上記無線アクセス網から直接、上記第２の通信品質要求を受信した時、受信した上記第２の通信品質要求を該無線アクセス網の通信リソースで許容可能な第４の通信品質要求に変換し、該第４の通信品質要求に従って、移動してきた無線移動局のパケットフローの通信品質を制御する
ことを特徴とする無線通信システム。
【請求項１０】
請求項９に記載の無線通信システムにおいて、
前記第１の通信品質要求が、要求優先度の異なる複数セットの通信品質パラメータからなり、前記第２の通信品質要求が、上記複数セットの通信品質パラメータから前記保証された通信品質レベル情報に従って選択された上記第１の通信品質要求よりも少ないセット数の通信品質パラメータからなり、前記第３の通信品質要求が、上記第２の通信品質要求と同等、または更に少ないセット数の通信品質パラメータからなる
ことを特徴とする無線通信システム。
【請求項１１】
請求項９に記載の無線通信システムにおいて、
前記各無線アクセス網の無線基地局とパケット制御装置の少なくとも一方が、無線アクセス網における送信レート、伝送遅延、エラーレート、無線区間における受信信号の品質または干渉信号電力のうちの少なくとも１つを前記通信リソースとして、前記無線移動局に許容可能な通信品質パラメータ群を選択する
ことを特徴とする無線通信システム。
【請求項１２】
無線基地局とパケット制御装置とからなる無線アクセス網であって、
上記無線基地局と上記パケット制御装置の少なくとも一方が、
上記無線基地局と通信する無線移動局から受信した第１の通信品質要求を、当該無線移動局に予め保証された通信品質レベル情報で検証し、該無線移動局に保証された範囲の通信品質パラメータ群からなる第２の通信品質要求に変換して記憶する手段と、
上記無線アクセス網を介して通信中の上記無線移動局が、他の無線アクセス網に移動した時、上記無線移動局に対応する上記第２の通信品質要求を、ハンドオーバ先の上記他の無線アクセス網に直接通知するための手段と、
上記他の無線アクセス網から直接、上記他の無線アクセス網を構成する他の無線基地局と通信する他の無線移動局に保証された範囲の通信品質パラメータ群からなる第２の通信品質要求を受信する手段と、を備え、
受信した当該第２の通信品質要求を、当該無線アクセス網の通信リソースで許容可能な第４の通信品質要求に変換し、該第４の通信品質要求に従って、移動してきた上記他の無線移動局のパケットフローの通信品質を制御する
ことを特徴とする無線アクセス網。
【請求項１３】
それぞれ無線基地局とパケット制御装置とからなる複数の無線アクセス網と、上記各無線アクセス網をＩＰ網に接続する複数のノード装置とからなる無線通信システムにおけるパケットフローの通信品質保証方法であって、
上記各無線アクセス網の無線基地局とパケット制御装置の少なくとも一方が、無線移動局の送信する第１の通信品質要求と無線移動局毎に予め契約で保証された通信品質レベル情報に基づき変換した該無線移動局に保証された範囲の通信品質パラメータ群からなる第２の通信品質要求を、該無線アクセス網の通信リソースで許容可能な第３の通信品質要求に変換し、
上記第２の通信品質要求を上記パケット制御装置に接続されたノード装置と、他の上記無線アクセス網に通知し、上記第３の通信品質要求に従って、上記無線移動局のパケットフローの通信品質を制御し、
他の上記無線アクセス網の無線基地局とパケット制御装置の少なくとも一方が、上記無線アクセス網から直接受信した上記第２の通信品質要求を、該無線アクセス網の通信リソースで許容可能な第４の通信品質要求に変換し、上記第４の通信品質要求に従って、移動してきた無線移動局のパケットフローの通信品質を制御する
ことを特徴とするパケットフローの通信品質保証方法。
【請求項１４】
請求項１３に記載のパケットフローの通信品質保証方法において、
前記第１の通信品質要求が、要求優先度の異なる複数セットの通信品質パラメータからなり、
前記各無線アクセス網の無線基地局とパケット制御装置の少なくとも一方が、上記第１の通信品質要求が示す複数セットの通信品質パラメータから、前記通信品質レベル情報で保証された範囲の通信品質パラメータセットを選択して、上記第１の通信品質要求よりも少ないセット数の通信品質パラメータからなる前記第２の通信品質要求を生成し、上記第２の通信品質要求から、通信品質パラメータのセット数が該第２の通信品質要求と同等、または更に少ない前記第３の通信品質要求を生成することを特徴とするパケットフローの通信品質保証方法。
【請求項１５】
請求項１３に記載のパケットフローの通信品質保証方法において、
前記第１の通信品質要求が、フロー毎に要求優先度の異なる複数セットの通信品質パラメータで要求通信品質を定義しており、
前記各無線アクセス網の無線基地局とパケット制御装置の少なくとも一方が、前記無線移動局に予め保証された通信品質レベル情報に従って、上記第１の通信品質要求からフロー毎に保証すべき通信品質パラメータセットを選択することによって、前記第２の通信品質要求を生成し、上記第２の通信品質要求から、利用可能な通信リソースに応じて許容可能な通信品質パラメータセットを選択することによって、前記第３の通信品質要求を生成することを特徴するパケットフローの通信品質保証方法。
【請求項１６】
請求項１３〜請求項１５の何れかに記載のパケットフローの通信品質保証方法において、
前記各無線アクセス網の無線基地局とパケット制御装置の少なくとも一方が、無線アクセス網における送信レート、伝送遅延、エラーレート、無線区間における受信信号の品質または干渉信号電力のうちの少なくとも１つを前記通信リソースとして、前記第２の通信品質要求または前記ノード装置から受信した前記第２の通信品質要求から通信品質パラメータを選択し、前記無線移動局に許容可能な前記第４の通信品質要求を生成することを特徴とするパケットフローの通信品質保証方法。